(57)【要約】【課題】この発明はベッドフレームの側板やヘッドボードの厚さや形状に係わらず、背上げユニットを駆動操作するリモートコントローラを確実にベッドフレームに保持できるようにした起床式ベッド装置を提供することにある。【解決手段】一対の側板３及び側板の内面に設けられた受け桟６を有するベッドフレーム１と、受け桟に支持される支持フレーム１１及び複数の床部に分割された床板体１２を有し、複数の床部の少なくとも利用者の上半身に対応する床部が支持フレームに設けられた駆動機構３１によって起伏駆動される背上げユニット２と、支持フレームの受け桟に支持された部分に設けられためねじ部４５と、ねじ孔に一端が連結され他端を側板の外面側に突出させて設けられた係止部材４６と、駆動機構を操作するための操作部５４及びこの操作部に設けられたフック５５を有し、フックが係止部材の他端に着脱可能に係合させて支持されるリモートコントローラ５２を具備する。【選択図】      図１
2006192064.tif 000002
【特許請求の範囲】
【請求項１】
一対の側板を有し、各側板の内面には受け桟が設けられたベッドフレームと、
上記受け桟に支持される支持フレーム及び複数の床部に分割され各床部が回動可能に連結された床板体を有し、複数の床部の１つが支持フレームに固定されているとともに少なくとも利用者の上半身に対応する床部が上記支持フレームに設けられた駆動機構によって起伏駆動される背上げユニットと、
上記支持フレームの上記受け桟に支持された部分に設けられた取り付け部と、
この取り付け部に一端が連結され他端を上記側板の外面側に突出させて設けられた係止部材と、
上記駆動機構を操作するための操作部及びこの操作部に設けられたフックを有し、このフックが上記係止部材の他端に着脱可能に係合させて支持されるリモートコントローラと
を具備したことを特徴とする背上げ式ベッド装置。
【請求項２】
上記支持フレームには複数の上記取付け部が上記ベッドフレームの長手方向に所定間隔で設けられていることを特徴とする請求項１記載の背上げ式ベッド装置。
【発明の詳細な説明】
【技術分野】
【０００１】
この発明はベッドフレームに利用者の上半身を起こすことができる背上げユニットが設けられる背上げ式ベッド装置に関する。
【背景技術】
【０００２】
一般に、背上げ式ベッド装置は矩形枠状のベッドフレームを有し、このベッドフレームには上面にマットレスが載置される床板が設けられる。床板は複数の床部に分割され、そのうちの少なくとも利用者の上半身に対応する部分の床部を駆動機構によって起伏駆動できるようにしている。それによって、マットレス上に仰臥した利用者は上半身を起こし、その姿勢を楽に維持することができる。
【０００３】
上記駆動機構はリモートコントローラによって遠隔的に操作できるようになっている。リモートコントローラは使用時には使い易い場所にあり、不使用時には邪魔にならないところにあることが望ましい。
【０００４】
そこで、従来は上記リモートコントローラの操作ボタンが設けられた操作部にフックを取り付け、このフックによって上記リモートコントローラを上記ベッドフレームを構成するヘッドボードや側板に係止させるようにしていた。
【発明の開示】
【発明が解決しようとする課題】
【０００５】
しかしながら、家庭用のベッド装置の場合、ベッドフレームの外観の向上や高級感を持たせるために、上記ヘッドボードや側板の外面に種々の飾りを設けたり、ヘッドボードの上端面の形状を直線状から曲線状にするなどのことが行われることがある。
【０００６】
そのような場合、上記ヘッドボードや側板の上端部が厚くなり、上記リモートコントローラに設けられたフックを係止させることができないということが生じる。また、ヘッドボードの上端面の形状を曲線状にすると、上記フックを安定した状態で確実に係止することができないから、ぶつかるなどすると落下してしまうということがある。
【０００７】
この発明は、ベッドフレームのヘッドボードや側板の形状に係わらず、リモートコントローラを安定した状態で確実に支持させることができるようにした背上げ式ベッド装置を提供することにある。
【課題を解決するための手段】
【０００８】
この発明は、一対の側板を有し、各側板の内面には受け桟が設けられたベッドフレームと、
上記受け桟に支持される支持フレーム及び複数の床部に分割され各床部が回動可能に連結された床板体を有し、複数の床部の１つが支持フレームに固定されているとともに少なくとも利用者の上半身に対応する床部が上記支持フレームに設けられた駆動機構によって起伏駆動される背上げユニットと、
上記支持フレームの上記受け桟に支持された部分に設けられた取り付け部と、
この取り付け部に一端が取り付けられ他端を上記側板の外面側に突出させた係止部材と、
上記駆動機構を操作するための操作部及びこの操作部に設けられたフックを有し、このフックが上記係止部材の他端に着脱可能に係合させて支持されるリモートコントローラと
を具備したことを特徴とする背上げ式ベッド装置にある。
【０００９】
上記支持フレームには複数の上記取付け部が上記ベッドフレームの長手方向に所定間隔で設けられていることが好ましい。
【発明の効果】
【００１０】
この発明によれば、ベッドフレームに設けられる背上げユニットの支持フレームにリモートこのトーらのフックを係止させるために係止部材を設けるようにしたから、ベッドフレームのヘッドボードや側板の形状に係わらずに、上記リモートコントローラを安定した状態で確実に係止させることができる。
【発明を実施するための最良の形態】
【００１１】
以下、この発明の一実施の形態を図面を参照して説明する。
【００１２】
図１と図２はベッド装置を示し、このベッド装置はベッドフレーム１と、このベッドフレーム１に着脱可能に支持される背上げユニット２を備えている。図１はベッドフレーム１と背上げユニット２とを分解した側面図で、図２はベッドフレーム１に半断面した背上げユニット２が支持された状態の平面図である。
【００１３】
上記ベッドフレーム１は所定間隔で平行に離間対向した一対の側板３を有する。これら側板３の長手方向一端はヘッドボード４に連結固定され、他端はフットボード５に連結固定されている。各側板３の内面には長手方向ほぼ全長にわたって受け桟６が設けられている。上記側板３の上部は、図３乃至図５示すように外面に飾り部材３aが設けられ、他の部分よりも厚手に形成されている。
【００１４】
上記背上げユニット２は上記受け桟６によって支持されてベッドフレーム１に着脱可能に設けられる。すなわち、上記背上げユニット２は支持フレーム１１を有し、この支持フレーム１１には床板体１２が設けられている。
【００１５】
上記支持フレーム１１は角パイプによって形成された直線状の一対の側部材１３を有する。上記床板体１２は複数の床部、この実施の形態では固定床部１４、この固定床部１４の一側に回動可能に連結された背床部１５及び他側に順次回動可能に連結された第１の脚床部１６及び第２の脚床部１７の４つの床部に分割されている。各床部１４〜１７はフレーム１４ａ〜１７ａ及び各フレーム内に格子状に張設された金属ワイヤ１４ｂ〜１７ｂによって形成されている。
【００１６】
上記一対の側部材１３の長手方向中央部の内面には、それぞれ図３に示すように側面形状がＬ字状の固定用連結部材１８が垂直な一辺を溶接などによって固定して設けられている。この固定用連結部材１８の他辺には上記固定床部１４のフレーム１４ａが幅方向両側をねじ１９によって固定して設けられる。
【００１７】
それによって、上記一対の側部材１３の間隔が設定されている。つまり、一対の側部材１３は上記ベッドフレーム１の一対の側板３の内面に設けられた一対の受け桟６とほぼ同じ間隔に設定されている。
【００１８】
そして、上記支持フレーム１１は図３乃至図５に示すように一対の側部材１３を一対の受け桟６上に係合させて載置される。支持フレーム１１を受け桟６に係合させて載置すると、図３乃至図５に示すようにその側部材１３の上面と上記側板３の上端面とがほぼ面一になるよう、上記側部材１３の高さが設定されている。
【００１９】
図３に示すように、上記受け桟６の長手方向中央部には角溝からなり、この角溝の開放した側面が側板３の内面によって閉塞された第１の係合孔２１が形成されている。この第１の係合孔２１には薄肉部と厚肉部とを有する第１の係止部材２２がその薄肉部を挿入して設けられる。
【００２０】
なお、一対の第１の係合孔２１は通常のベッド装置において、線材からなる反り止め防止部材（図示せず）がＬ字状に折曲された両端部を係合させて設けられる。それによって、ベッドフレーム１の一対の側板３が幅方向外方に反るのを防止するようになっている。つまり、第１の係合孔２１は通常のベッド装置のベッドフレーム１に予め形成されており、その第１の係合孔２１を利用して背上げユニット２が水平方向にずれ動くのを制限している。
【００２１】
上記受け桟６に載置される支持フレーム１１の側部材１３の長手方向中央部には第２の係合孔２３が下面に開口して形成されている。支持フレーム１１の一対の側部材１３を受け桟６に係合載置すると、図３に示すように上記第１の係合部２１に薄肉部を挿入した第１の係止部材２２の受け桟６の上面から突出した厚肉部が上記第２の係合孔２３に係合する。それによって、支持フレーム１１は受け桟６上で水平方向にずれ動くのが制限される。
【００２２】
上記支持フレーム１１の一対の側部材１３の一方の長手方向両端部の内面には一対の第２の係止部材２５が設けられ、他方の側部材１３の長手方向両端部の内面には一対の第３の係止部材２６が設けられている。
【００２３】
一方の側部材１３に設けられた一対の第２の係止部材２５は図４（ａ），（ｂ）に示すように下端部をＬ字状に曲成することで係合片２５ａに形成された取り付け片２５ｂを有し、この取り付け片１５ｂの下端部にはチャンネル材からなる第１の支持片２５ｃが一端を固着して設けられている。第１の支持片２５ｃの他端部上面には合成樹脂などによって形成された受け具２７がねじ２８によって固定して設けられている。
【００２４】
他方の側部材１３に設けられた一対の第３の係止部材２６は、図５に示すように一方の側部材１３に設けられた第２の係止部材２６とほぼ同じであるが、取付け片２５ｂの下端部に係合片２５ａが設けられていないという点だけが相違している。なお、第３の係止部材２６の支持片を第２の支持片２５ｃとする。
【００２５】
各一対の第２、第３の係止部材２５，２６は支持フレーム１１の側部材１３の内面に取付け片２５ｂをねじ２９によって固定して設けられる。そして、一方の側部材１３に設けられる一対の第２の係止部材２５は取付け片２５ｂの下端部に形成された係合片２５ａを受け桟６の下面に係合させる。それによって、支持フレーム１１の側部材１３は受け桟６から浮き上がることがないよう保持される。
【００２６】
そして、上記支持フレーム１１の長手方向一端部に位置する第２、第３の係止部材２５，２６の第１、第２の支持片２５ｃに設けられた受け具２７は、水平に倒伏した状態にある背床部１５のフレーム１５ａの幅方向両端部の下面を支持する。支持フレーム１１の長手方向他端部に位置する第２、第３の係止部材２５，２６の第１、支持片２５ｃに設けられた受け具２７は、水平に倒伏した状態にある第２の脚床部１７のフレーム１７ａの幅方向両端部の下面を支持する。
【００２７】
すなわち、第２、第３の係止部材２５，２６は、支持フレーム１１に設けられた床板体１２の固定床部１４の一端と他端とにそれぞれ回動可能に連結された背床部１５及び第２の脚床部１７を水平な状態で支持する。
【００２８】
なお、支持フレーム１１を受け桟６に係合載置する場合、後述するように一方の側部材１３からは第２の係止部材２５を取り外しておき、他方の側部材１３だけに一対の第３の係止部材２６を取り付けておく。そして、支持フレーム１１を受け桟６上に載置した後、一方の側部材１３に第２の係止部材２５を、その下端の係合片１５ａを受け桟６の下面に係合させてねじ２９により取り付ける。
【００２９】
上記支持フレーム１１の一対の側部材１３間には上記背床部１５と第１、第２の脚床部１６，１７を起伏駆動する駆動機構３１が設けられる。この駆動機構３１は図１と図２に示すように、減速機などの動力伝達機構（図示せず）が内蔵されたケース３２を有する。このケース３２の一端部には第１の回転軸３３が設けられ、他端部には第２の回転軸３４が第１の回転軸と軸線を平行にして設けられている。
【００３０】
第１の回転軸３３は上記ケース３２の一側面に設けられた第１の駆動源３５によって正逆方向に回転駆動され、第２の回転軸３４は上記ケース３２の他側面に設けられた第２の駆動源３６によって正逆方向に回転駆動されるようになっている。
【００３１】
第１、第２の回転軸３３，３４の両端部は、図１に示すように上記支持フレーム１１の一対の側部材１３の内面に設けられた軸受３７によって回転可能に支持されている。第１の回転軸３３の両端部には先端にローラ３８が設けられた一対の第１のアーム３９の基端が固着されている。
【００３２】
上記第１のアーム３９のローラ３８は、図１に示すように背床部１５のフレーム１５ａの両側下面に対向位置している。したがって、上記第１の回転軸３３は回転駆動されて第１のアーム３９が実線で示す倒伏位置から鎖線で示す起立方向に回転すれば、その回転に連動して背床部１５が起上する。
【００３３】
上記第２の回転軸３４の両端部には先端にローラ４１が設けられた一対の第２のアーム４２の基端が固着されている。第２のアーム４２のローラ４１は第１の脚床部１６のフレーム１６ａの幅方向両側下面に対向位置している。
【００３４】
したがって、第２の回転軸３４が回転駆動されて第２のアーム４２が図１に実線で示す倒伏状態から鎖線で示す起立方向に回転すれば、上記第１の脚床部１６が水平に倒伏した状態から起立方向に起上する。
【００３５】
第１の脚床部１６には第２の脚床部１７が一端を回動可能に連結されている。したがって、第１の脚床部１６が起立方向に回動すると、この回動に第２の脚床部１７が連動する。第２の脚床部１７の一端にはリンク４３の一端が回動可能に連結されている。このリンク４３の他端は支持フレーム１１の側部材１３に回動可能に連結されている。そのため、第２の脚床部１７は第１の脚床部１６に連動して回動すると、その回動に連動するリンク４３によって他端が支持される。
【００３６】
上記背上げユニット２の支持フレーム１１の一対の側部材１３には、上面に開口する取り付け部としての複数のめねじ部４５が長手方向に所定間隔で形成されている。この実施の形態では各側部材１３にはそれぞれ４つのめねじ部４５が形成されている。そのうちの１つのめねじ部４５には係止部材４６の一端がねじ４７によって着脱可能に取り付けられる。なお、めねじ部４５は図６（ｃ）に示すように上記側部材１３内にナット体を設けて構成されているが、上記側部材１３の上部壁にめねじを直接形成してもよい。
【００３７】
上記係止部材４６は、図６（ａ）〜（ｄ）に示すように側面形状がＬ字状で中央に通孔４７が形成された取り付け板４８と、金属などの丸棒を平面形状がコ字状で、側面形状がへの字状に折り曲げ、基端部（両端部）を上記取り付け板４８の固着したループ状部４９とによって構成されている。そして、上記取り付け板４８が通孔４７を介して上記側部材１３のめねじ部４５にねじ５１によって取り付け固定される。
【００３８】
この実施の形態では、上記係止部材４６は図２に示すようにベッドフレーム１のヘッドボード４側の一側に取り付け固定されている。上記係止部材４６は、上記取り付け板４８を上記側部材１３のめねじ部４５に取り付け固定すると、図６（ｂ）、（ｃ）に示すように上記ループ状部４９の先端部が上記ベッドフレーム１の側板３の上部外面に設けられた飾り部材３ａよりも外方に突出する長さに設定されている。
【００３９】
上記係止部材４６の側板３の外面側の突出したループ状部４９には上記駆動機構３１を遠隔的に操作するためのリモートコントローラ５２が着脱可能に保持される。このリモートコントローラ５２は図６（ａ），（ｂ）に示すように複数の操作ボタン５３が設けられた操作部５４と、この操作部５４の上端に設けられフック５５とによって構成されている。
【００４０】
このフック５５は帯板状の金属や合成樹脂などによって鉤状に形成されていて、一端が上記操作部５４に一体的に連結されている。そして、上記係止部材４６のループ状部４９に係合させることで、上記リモートコントローラ５２をベッドフレーム１のヘッドボード４側の側部に保持できるようになっている。
【００４１】
なお、図示しないが、上記床板体１２の上面には背床部１５や第１、第２の脚床部１６，１７の起伏に応じて屈曲可能なマットレスが載置され、このマットレス上に利用者が仰臥するようになっている。
【００４２】
このような構成のベッド装置によれば、駆動機構３１を遠隔的に操作するためのリモートコントローラ５２はそのフック５５を係止部材４６のループ状部４９に係合させることで、ベッドフレーム１のヘッドボード４側の側部に保持することができる。
【００４３】
上記ループ状部４９の先端部はベッドフレーム１の側板３の外面に設けられた飾り部材３ａよりも外方に突出している。そのため、側板３の飾り部材３ａが設けられた上部が厚手であったり、ヘッドボード４の上端が円弧状の曲面であったりして、上記リモートコントローラ５２に設けられたフック５５を確実に係合させることができない場合であっても、上記フック５５を上記係止部材４６のループ状部４９に確実に係合させることができる。
【００４４】
つまり、側板３やヘッドボード４などの、リモートコントローラ５２のフック５５が係合される部分が厚くなったり、形状が曲面などになっても、上記リモートコントローラ５２を上記係止部材４６によって確実に係合保持させることができる。
【００４５】
上記係止部材４６の取り付け板４８を取り付けるためのめねじ部４５を、支持フレーム１１の両側に設けられた側部材１３の長手方向に沿って所定間隔で複数設けるようにした。そのため、利用者が子供などであって、リモートコントローラ５２を利用者に操作させたくないような場合やベッドフレーム１の幅方向の一側が室内の壁面に接近して設置されるような場合などには、上記係止部材４６をフットボード５側やベッドフレーム１の他側に設けるなどして取り付け位置を変更することができる。
【００４６】
上記一実施の形態では駆動機構によって背床部だけでなく、床板体の第１、第２の脚床部も起伏駆動できる構成の背上げユニットを例に挙げて説明したが、脚床部が設けられずに、背床部だけが起伏可能に設けられた構成の背上げユニットであっても、この発明を適用することができる。
【００４７】
また、受け桟に載置された支持フレームの側部材の上面がベッドフレームの側板の上端面と同じ高さである場合について説明したが、高さが異なる場合であっても差し支えなく、その場合には係止部材の取り付け板に基端が固定されるループ状部４９を側部材と側板との高さの差に応じて上方或いは下方に屈曲させれば、その先端部をベッドフレームの側板の外方に突出させることができる。
【図面の簡単な説明】
【００４８】
【図１】この発明の一実施の形態を示すベッド装置のベッドフレームと背上げユニットを分解した側面図。
【図２】床板体の半分を除去したベッド装置の平面図。
【図３】第１の係止部材によって支持フレームの側部材と受け桟とが連結された部分の断面図。
【図４】（ａ）は一方の側部材に設けられる係合片を有する第２の係止部材の断面図、（ｂ）は同じく正面図。
【図５】他方の側部材に設けられる第２の係止部材の断面図。
【図６】（ａ）は係止部材にリモートコントローラを係合保持した条体の正面図、（ｂ）は同じく側面図、（ｃ）は同じく平面図、（ｄ）は係止部材の側面図。
【符号の説明】
【００４９】
１…ベッドフレーム、２…背上げユニット、３…側板、６…受け桟、１１…支持フレーム、１２…床板体、１３…側部材、３１…駆動機構、４５…ねじ孔（取り付け部）、５２…リモートコントローラ、５４…操作部、５５フック。
【図１】
2006192064.tif 000003
【図２】
2006192064.tif 000004
【図３】
2006192064.tif 000005
【図４】
2006192064.tif 000006
【図５】
2006192064.tif 000007
【図６】
2006192064.tif 000008